Podtech/llm-jp-corpus-v4-ja_patent huggingface dataset:
(57)【要約】      （修正有）【課題】一人住まいでも急須を使用せずに、いつでも簡単に新鮮な茶が飲める茶飲み茶碗を提供する。【解決手段】茶碗２内部の一側に、多数の濾過孔４を配列した茶漉し部３を一体に形成し、また、前記茶漉し部３の中に格納して、中に茶葉１１を収納するための茶葉入れ網５を具備する、茶漉し部付き茶碗。【選択図】図１
0003115762.tif 000002
【実用新案登録請求の範囲】
【請求項１】
茶碗（２）の内側の一側に茶碗（２）と一体化し、周面に多数の濾過孔（４）を透孔して配列した茶漉し部（３）を設けたことを特徴とする茶漉し部付き茶碗（１）。
【請求項２】
前記茶漉し部（３）の中に格納して、出し入れ自在な茶葉入れ網（５）を具備することを特徴とする茶漉し部付き茶碗（１）。
【考案の詳細な説明】
【技術分野】
【０００１】  本考案は、茶飲み茶碗であって、その内側の一側に茶葉入れ網５を収納する茶漉し部３を設け、急須を必要としないで、直接手軽に新鮮な茶を飲むことができる茶飲み茶碗を提供する。
【背景技術】
【０００２】  背景技術としては、フタの内側の回転する支持金具に茶こしを取り付け、茶こしに茶葉を入れ、茶わんに湯を注いでフタをすると、茶こしが回転し湯に浸かって茶を出すものがある（特許文献１を参照）。
【特許文献１】    登録実用新案第３０８５４３５号公報、
【考案の開示】
【考案が解決しようとする課題】
【０００３】  日常、茶を飲むには、先ず急須に茶葉を入れその中に湯を注ぎ、少し間を置いて茶碗に注ぐ、その茶葉の分量や湯の温度、タイミングには細かい注意が必要であった。また、使用した後の急須の洗淨も面倒なものであった。そうかといって、特許文献１のように、フタに取り付けた複雑な回転体操おもちゃのような茶こしでは、茶を嗜む者には馴染めないものであった。【０００４】  本考案は、茶飲み茶碗であって、その内側の一側に茶葉入れ網５を収納する茶漉し部３を茶碗２と一体に設け、急須などを必要とせず、直接手軽に新鮮な茶を飲むことができる茶漉し付き茶碗１を提供する。
【課題を解決するための手段】
【０００５】  前記目的を達成するために、請求項１の考案は、茶碗２の内側の一側に茶碗２と一体化し、周面に多数の濾過孔４を配列した茶漉し部３を設けたことを特徴とする茶漉し部付き茶碗１とした。【０００６】  そして、請求項２の考案は、前記茶漉し部３の中に格納して、出し入れ自在な茶葉入れ網５を具備することを特徴とする茶漉し部付き茶碗１とした。
【考案の効果】
【０００７】  請求項１の考案は、茶碗２の内側の一側に茶碗２と一体化した茶漉し部３を設けた構成としたことにより、豊潤な味の茶８を手軽に喫することができ、しかも、急須と違い飲んだ後の後始末が簡単で、茶棚に収納するとき場所を取らないという効果を奏する。【０００８】  請求項２の考案は、前記茶漉し部３の中に収納する茶葉入れ網５を設けたことにより、急須のように目詰まりせず、しかも、茶葉入れ網５の出し入れが自在であるから、好みに応じて他の種類の茶葉１１に簡単に変えることができ、茶殻を簡単に処理することができるという効果を奏する。
【考案を実施するための最良の形態】
【０００９】  次に本考案を実施する際の最良な形態を図面に沿って説明する。図１及び図２に表したものは、周面に多数の濾過孔を配列した茶漉し部を一体成形にした茶漉し部付き茶碗１を示す。茶漉し部３はやや高い位置に形成し、茶８が出過ぎるようなことがないように配慮した。茶８の出具合を早めるためには茶碗２を多少傾けたり、揺すったりすることになり、本考案の茶碗２の寸法は普通より大きめに形成される。しかし、従来の急須のように使用後の掃除に手間がかかったり、収納に余計なスペースを割くことはない。符号９は高台、符号１０は茶碗２が空気圧で滑らないように開けた切欠きである。【００１０】  図３に示すものは茶漉し部３の中に収納するステンレス製の茶葉入れ網５である。符号７もステンレス製の板ばねであり、ばねの力で茶葉入れ網５を茶漉し部３の中に半固定するためのもので、茶碗２を傾けたときに茶葉入れ網５が茶漉し部３から跳びだすことのないように支持するためのものであり、茶葉入れ網５は、茶漉し部３からの出し入れが簡単なため、いつでも好みに応じて別の茶葉１１を交換できる。【００１１】  茶碗２に予め湯８を注ぎ、茶葉１１を収納した茶葉入れ網５を茶漉し部３に挿入するか、又は、茶葉入れ網５を挿入したのちに湯８を注ぐかは、茶葉１１の種類にもよる。上面の開口部６は一見狭くは見えるが、茶葉１１を茶葉入れ網５に供給するときは、茶さじを使うことにより取りこぼすことはなく、使用後の茶葉入れ網５の中の茶殻は、水道の蛇口で洗い流せばあと始末が簡単にでき、茶葉入れ網５に茶葉１１を収納しているので、茶漉し部３の濾過孔４は目詰まりすることはない。【００１２】  本考案の茶漉し部付き茶碗１は、緑茶、紅茶、ウーロン茶、番茶等各種の茶を好みに応じて喫するときに簡便に使用でき、従来、これらを予め紙パックに詰めて販売されている紙パック茶があるが、それらは大量生産され製品化されたものであり、今一つ旨味が足らず、金額もかさむ。そして、茶漉し部付き茶碗１の使い勝手の利便性から一人住まいの老人等に重宝される物となる。本考案が創案された理由もそこにある。
【図面の簡単な説明】
【００１３】
【図１】本考案の茶漉し部付き茶碗１の斜視図である。
【図２】本考案の茶漉し部付き茶碗１の正面断面図である。
【図３】（ａ）図は本考案の茶葉入れ網５の右側面図であり、（ｂ）図は同背面図であり、（ｃ）図は同平面図である。
【図４】茶葉１１を詰めた茶葉入れ網５を茶漉し部３の中にセットした状態を示す断面図である。
【符号の説明】
【００１４】１    茶漉し部付き茶碗
２    茶碗
３    茶漉し部
４    濾過孔
５    茶葉入れ網
６    開口部
７    板バネ
８    茶（湯）
９    高台
１０  切欠き
１１  茶葉
【図１】
0003115762.tif 000003
【図２】
0003115762.tif 000004
【図３】
0003115762.tif 000005
【図４】
0003115762.tif 000006
(57)【要約】      （修正有）【課題】通常は杖の中に傘を収納して傘つき杖として使用し、必要な時は、傘を杖から引き出して傘と杖が別々に使用できるようにする。【解決手段】杖の軸部１を筒状の中空にして、傘を収納出来る形状にし、傘の出し入れが簡単で、その上、杖の軸が従来品より多少太くなるので杖底の接地面が広くなり、身体の支えが安定する。【選択図】図１
0003115767.tif 000002
【実用新案登録請求の範囲】
【請求項１】
杖の軸部を筒状の中空にして，傘が入るようにした杖。
【考案の詳細な説明】
【考案の詳細な説明】
この考案は、杖の中に傘が収納できるようにした杖である。
従来、傘と杖は別々だつたので、杖を日常必要とする人が外出している時、雨天になれば困る事があつた。
本考案は、天候が急変しても困る事なく対応出来るようにしたもので通常は、杖の中に傘を収納して傘つき杖として使用し、必要な時は、傘を杖から引き出して傘と杖が別々に使用出来るようにしたものである。
それを図面について説明すれば、杖の軸部１を筒状の中空にして、傘を収納出来る形状にしたものである。
本考案は、このような構造であるから傘の出し入れが簡単で、その上、杖の軸が従来品より多少太くなるので杖底の接地面が広くなり、身体の支えが安定する。
【図面の簡単な説明】［図１］  本考案の斜視図である。
［図２］  本考案の一部を切り欠いた図面である。
【符号の説明】
１  中空軸    ２  握り柄    ３  傘の握り柄の差し込み穴
４  上部のふた    ５  中空軸接合部（ピンとボンドで接着固定）
６  スライド式板バネ押さえ    ７  軸固定用ボス付き板バネ
８  ストツパ−    ９  軸長さ調整穴    １０  底部キヤツプ
【図１】
0003115767.tif 000003
【図２】
0003115767.tif 000004
(57)【要約】      （修正有）【課題】体の各部位に応じた洗い方をすることが可能な体洗い具を提供する。【解決手段】体洗い具１は、手を出し入れ可能な手袋型で、指部２を除いた掌部３中央に目が粗い生地からなる木綿製の正面視円形状の強洗い部４を形成し、当該強洗い部４以外の部位すなわち指部２を含む甲部５を目の細かい生地からなるナイロン製の弱洗い部６で形成してある。指部２の先部分は角がある正面視長方形状に整えてあり、細かいところも洗い易く形成してある。【選択図】図１
0003115787.tif 000002
【実用新案登録請求の範囲】
【請求項１】
手を出し入れ可能な手袋型で、指部を除いた掌部に摩擦係数が大きい部材からなる強洗い部を形成し、当該強洗い部以外の部位を摩擦係数が小さい部材からなる弱洗い部で形成してあることを特徴とする体洗い具。
【請求項２】
掌部にポケット部を有し、当該ポケット部にスポンジ体および／または石鹸を出し入れ可能に形成してあることを特徴とする請求項１記載の体洗い具。
【考案の詳細な説明】
【技術分野】
【０００１】
本考案は、風呂等の入浴時に体を洗うのに有用な体洗い具に関する。
【背景技術】
【０００２】
たとえば、特許文献１に掲載されている浴用体洗い具がある。これの構成は、手のひら及び各指を包むように袋状に形成され、指を包むための指入れ部は親指専用の指入れ部を含めて少なくとも三つに分かれていることを特徴とし、この洗い具を握った手の微妙な感覚を肌に伝えて、気持良く体を洗えるものであるとしている。
ところで、体は弱く洗いたいところもあれば、強くごしごしと洗いたいところがあり、さらには踵のようにタオルでは不十分で軽石等を用いなければならない箇所もある。
このように、体の全てを洗うのにタオル１本では無理があり、前記した手袋型の浴用体洗い具でも同様で、タオルや軽石等を使い分けているのが現状である。
【特許文献１】特開平５−１６１５６７号公報
【考案の開示】
【考案が解決しようとする課題】
【０００３】
解決しようとする課題は、第１には、体の各部位に応じた洗い方をすることが可能な体洗い具を、第２には、さらに、汚れ落としを効率的に行なえる体洗い具を提供することにある。
【課題を解決するための手段】
【０００４】
本考案では前記した課題を達成するため、以下の構成にしたことを特徴とする。
１．手を出し入れ可能な手袋型で、指部を除いた掌部に摩擦係数が大きい部材からなる強洗い部を形成し、当該強洗い部以外の部位を摩擦係数が小さい部材からなる弱洗い部で形成してあることを特徴とする。
２．前記した１において、掌部にポケット部を有し、当該ポケット部にスポンジ体および／または石鹸を出し入れ可能に形成してあることを特徴とする。
【０００５】
本考案における手袋型は、ミトンと称されている２本指型のもの、３本指型のもの、４本指型のもの、５本指型のもののいずれであってもよい。掌部とは指部を除いた部位を指す。指部は、先部分に角がある正面視長方形状のものでも、先部分が丸い形状のものであってもよい。
強洗い部を形成する摩擦係数が大きい部材としては、木綿，麻等の天然繊維あるいは各種の合成繊維もしくはこれらの複合繊維からなる織り目が大きくて目の粗い布地あるいはスポンジ体が挙げられる。弱洗い部を形成する摩擦係数が小さい部材としては、絹、木綿，麻等の天然繊維あるいは各種の合成繊維もしくはこれらの複合繊維からなる織り目が小さくて目の細かい布地が挙げられる。
強洗い部は、指部を除いた掌全体を占める比率の略四角形状の形態でも、掌の中央部分を占める比率の略円形状の形態でも、その他のこれらに類する適宜形態のものであってもよい。また、強洗い部は、弱洗い部と一体的に組み付けるようにしてもよいし、掌部に添着する等して一体的に備えるようにしてもよい。
掌部には、スポンジ体を添着してもよいし、そうしなくともよい。また、掌部には、ポケット部を配設してスポンジ体および／または石鹸を出し入れ可能に形成してもよいし、そうでなくともよい。スポンジ体は、球状等の適宜立体形状のものがよい。ポケット部は、布製でもよいし、同質材或いは他の材質からなる網状のものであってもよい。
石鹸は、シコンやビワの葉液汁、ローレル油、菜種油等の植物系でもよいし、動物系であってもよい。
【考案の効果】
【０００６】
Ａ．請求項１により、体の各部位に応じて強洗い部と弱洗い部を使い分けられることで最適な洗い方をすることができる。すなわち、角質層が硬くなった肘や膝や踵等を強洗い部で綺麗に洗うことができ、髪の生え際、髪のキューティクル、頭皮、首筋、耳、足の指の間、陰部、そけい部、肛門、目の周辺、顔の凹凸部分等の角質層が薄かったり洗いにくい箇所では弱洗い部で肌を傷めずに綺麗に洗うことができる。
したがって、洗う手すなわちウォッシュハンドとして有用である。
Ｂ．請求項２により、さらに、ポケット部にスポンジ体を入れれば、膝の裏や背中等の汚れ落としを効率的に行なえる。
【考案を実施するための最良の形態】
【０００７】
図１には本考案の体洗い具における実施の１形態を例示しており、体洗い具１は、手を出し入れ可能な手袋型で、指部２を除いた掌部３中央に目が粗い生地からなる木綿製の正面視円形状の強洗い部４を形成し、当該強洗い部４以外の部位すなわち指部２を含む甲部５を目の細かい生地からなるナイロン製の弱洗い部６で形成してある。
指部２の先部分は角がある正面視長方形状に整えてあり、細かいところも洗い易く形成してある。
【０００８】
図２には本考案の体洗い具における実施の他の１形態を例示しており、構成は前記した図１の態様のものと基本的に同一であるため、共通している構成の説明は符合を準用して省略し、相違する構成について説明する。
図２の（ａ）では、体洗い具１は、掌部３にスポンジ体７を添着してある。図２の（ｂ）では、体洗い具１は、掌部３に粗い生地からなる木綿製の網状ポケット部８を配設し、このポケット部８における下方の開口部８ａからスポンジ体７あるいは植物系の石鹸９を出し入れ可能に形成してある。図２の（ｃ）では、体洗い具１は、掌部３に前記ポケット部８を配設すると共にこのポケット部８にスポンジ体７を添着し、ポケット部８における下方の開口部８ａから石鹸９を出し入れ可能に形成してある。
【図面の簡単な説明】
【０００９】
【図１】本考案の体洗い具における実施の１形態を例示している正面図。
【図２】（ａ）〜（ｃ）は本考案の体洗い具における実施の他の１形態をそれぞれ例示している縦断面図。
【符号の説明】
【００１０】
１  体洗い具
２  指部
３  掌部
４  強洗い部
５  甲部
６  弱洗い部
７  スポンジ体
８  ポケット部
８ａ  開口部
９  石鹸
【図１】
0003115787.tif 000003
【図２】
0003115787.tif 000004
(57)【要約】      （修正有）【課題】太陽光熱を室外でカットし、室内温度を上がり難くし、省エネ図り、身体に安らぎを与える様にした日除けを提供する。【解決手段】取り付け具１の板をサッシ（窓）外側上部に接着し、取り付け具２をサッシ（窓）下部にも接着し、その間を長い造花でつなぎ室外で太陽光をカットする構造にした。【選択図】図３
0003115702.tif 000002
【実用新案登録請求の範囲】
【請求項１】
サッシ（窓）の室外側に取り付ける、図１及び図２と造花を接続した日除け。
【考案の詳細な説明】
【考案の開示】
【考案が解決しようとする課題】
【産業上の利用分野】
【０００１】この考案は、カーテン、ブラインド等の様に直射日光や目線を避ける物の改良である。
【背景技術】
【０００２】従来のカーテン、ブラインド等は室内に太陽光が入ってからカットしていた、従って室内で太陽光熱が発生し室内の温度が上がり、快適な室内にする為多量のエネルギーを使っていた
【考案が解決しようとする課題】
【０００３】本考案はその欠点を除くため、室外で太陽光をカットし真夏の強い西日の入る暑い部屋でも小春日の様に気持ち良く、又省エネも達成する事を考えた物である。
【課題を解決するための手段】
【０００４】まず  そのデザインと目に対しての優しさ、取り付け簡単な方法等  いろいろ考え、図１の板を窓外側上部に接着し、図２の板を下部にも接着し、その間を長い造花でつなぐ構造にした。
【考案の効果】
【０００５】本考案はこの様な構造だから、室外で太陽光、紫外線をカットするので室内温度があまり上がらず、省エネにも役立ち、真夏でも小春日和の様に目にも優しく、心、身体にも休まる考案である、又  外からは見難く、室内からは  見やすく、防犯にも役立ち、身体にも良く効果は抜群である。
【実施例】
【０００６】真夏の西日の入る暑い部屋で、透明ガラスサッシに室外側に本考案物を設置したら、太陽光を５０％−６０％カット出来、室温もあまり上がらず  小春日和のようでクーラー温度調整も低くで済み省エネが実現出来た、緑色の造花を使用したので、紫外線もカット出来  身体にも良く  見た目も良く  快適な日々を送れた、台風の様な強い風以外は音も極小で最高でした。又  上部、下部の板を造花毎に切り離しても、板と造花をつなぐ方法を変えても効果は同じである。サッシ（窓）上部と下部の距離が長い場合は中間で数箇所造花を固定すれば良い
【図面の簡単な説明】
【０００７】
【図１】    サッシ上部取り付け具の図
【図２】    サッシ下部取り付け具の図
【図３】    取り付け側面図
【符号の説明】
【０００８】１      上部取り付け具
２      下部取り付け具
３      造花
４      サッシ（窓）
【図１】
0003115702.tif 000003
【図２】
0003115702.tif 000004
【図３】
0003115702.tif 000005
【手続補正書】
【提出日】平成17年4月15日(2005.4.15)
【手続補正１】
【補正対象書類名】明細書
【補正対象項目名】０００６
【補正方法】変更
【補正の内容】
【０００６】真夏の西日の入る暑い部屋で、透明ガラスサッシの室外側に本考案物を設置したら、太陽光を５０−６０％カット出来、室温もあまり上がらず小春日和の様でクーラー温度調整も低くで済み、省エネが実現出来た緑色の造花を使用したので、紫外線もカット出来  身体にも良く快適な日々を送れた、台風の様な強い風以外は音も極小で最高でした。又図１、図２の板を造花毎に切り離しても、板と造花のつなぐ方法を変えても効果は同じである。サッシ（窓）の上部と下部の距離が長い場合は中間で数箇所造花を固定すれば良い、又この場合接着方法を磁石にすればガラス反対側にも磁石を付ければ傷や汚れも付かず簡単でした。
【手続補正書】
【提出日】平成17年7月27日(2005.7.27)
【手続補正１】
【補正対象書類名】実用新案登録請求の範囲
【補正対象項目名】全文
【補正方法】変更
【補正の内容】
【実用新案登録請求の範囲】
【請求項１】
板状の小物で一面にはサッシに接着出来る様に磁石又は接着剤を付け、もう一面には造花を接続出来る突起を作った物を、サッシ室外側上部と下部に接着し、この間を長い造花でつなぎ、これをサッシ一面に並べ日除けとする。
(57)【要約】      （修正有）【課題】鼻管回り糸と逆さ針との接続が容易で、結び目が緩み解け易くなることのない逆さ針を提供する。【解決手段】逆さ針の針先とハリス止めの間にＸの輪部を設ける。鼻管回り糸をその輪部を利用して逆さ針に結ぶことで簡単に接続できる。また、鼻管回り糸を輪部へ直接結ぶか輪部を通した後に針の軸へ糸を結ぶことで鮎が掛かった時の衝撃等での結び目のずれを防止できる。また、輪部に鼻管回り糸を通した後糸の先端に結びこぶを作ることで逆さ針は鼻管回り糸に沿って移動式として使用することもできる。【選択図】図１
0003115707.tif 000002
【実用新案登録請求の範囲】
【請求項１】
逆さ針の針先部とハリス止めの間に輪部を設ける。
【考案の詳細な説明】
【技術分野】
【０００１】  本発明は、鮎の友釣り仕掛けに使用するための逆さ針に関する。
【背景技術】
【０００２】  鮎の友釣り仕掛けでは、おとり鮎に取り付ける鼻管回り糸と鮎を掛ける為の掛け針は逆さ針により接続される。鼻管回り糸を逆さ針に結びその逆さ針のハリス止めに掛け針のハリスを取り付ける。
【考案の開示】
【考案が解決しようとする課題】
【０００３】  鼻管回り糸と逆さ針の接続方法は、逆さ針先端からはリス止めの間で鼻管回り糸を結ぶ。その際結び個所を固定するのに接着剤を使用するか、結び方を頑固にする必要がある、そのため鼻管回り糸を逆さ針に結ぶ作業が難易である。また、鮎が掛かった時の衝撃等で逆さ針の結び目が針先方向へずれることもありその場合は仕掛けを取り替えることとなる。また、ずれることでその結び目が緩み鼻管回り糸から外れることもある。【０００４】  本発明は、このような従来の逆さ針が有していた鼻管回り糸との結び方の難しさ、及び鮎の掛かった時の衝撃等で結び目がずれるのを改善するものである。
【課題を解決しようとする手段】
【０００５】  本発明は上記目的を達成するために逆さ針とハリス止めの間に輪部を設けその輪部を利用して鼻管回り糸を接続するものである。
【考案の効果】
【０００６】  鼻管回り糸を逆さ針の輪部を通し逆さ針の軸へ結ぶことで鮎が掛かった時の衝撃等による結び目が針先の方行へずれることを防止するものである。
【０００７】  逆さ針の輪部に直接鼻管回り糸を直接結ぶことで接続が簡単にできる。
【０００８】  鼻管回り糸を逆さ針の輪部に通しその糸の先端部に結びコブを作ることにより逆さ針が鼻管回り糸にそって自由に移動することができる。
【考案を実施するための最良の形態】
【実施例】  図５、図６、図７、は鼻管回り糸を逆さ針へ結ぶ形態の例である。
【図面の簡単な説明】
【０００９】
【図１】  逆さ針の針先とハリス止めの間に輪部Ｘを設けたものの外観図。
【図２】  図１におけるＡ−ＡとＢ−Ｂ間輪部Ｘの拡大図。
【図３】  図２をＣ方向から見た図。
【図４】  図２をＤ方向から見た図。
【図５】  鼻管回り糸の先端部に結びこぶを作り接続した例、逆さ針が糸にそって移動できる。
【図６】  輪部へ直接鼻間回り糸を接続した例。
【図７】  輪部を通した後逆さ針の軸へ接続した例。
【図１】
0003115707.tif 000003
【図２】
0003115707.tif 000004
【図３】
0003115707.tif 000005
【図４】
0003115707.tif 000006
【図５】
0003115707.tif 000007
【図６】
0003115707.tif 000008
【図７】
0003115707.tif 000009
【手続補正書】
【提出日】平成17年7月15日(2005.7.15)
【手続補正１】
【補正対象書類名】実用新案登録請求の範囲
【補正対象項目名】全文
【補正方法】変更
【補正の内容】
【実用新案登録請求の範囲】
【請求項１】
鮎の友釣仕掛けにおいて鼻管廻り糸と逆さ針を容易に結ぶことを目的とし、逆さ針の針先部とハリス止め部間の針軸上に一箇所輪部を設けたことを特徴とする逆さ針。
(57)【要約】【課題】インスタントの丼容器に、箸で掻き込んでもこぼれ難く、食べやすい、咥え口を付ける提案。【解決手段】（１）合成樹脂からなる丼容器の製作時、その周縁部で、口を付ける部分の一箇所に、下縁Ｕ字形の嘴を、一体成型加工する。（２）消費者は、その嘴を咥えて食べる。（３）即ち、傾けた食器内の食べ物を、箸にて嘴へ誘導すれば、簡単に食べられる。こぼれ難い。【選択図】図１
0003115705.tif 000002
【実用新案登録請求の範囲】
【請求項１】
麺類・丼物等、合成樹脂からなる代用食器の製作時、その口接部へ、人の下唇曲線に近い、嘴形の咥え部を、一体成型加工する。
【請求項２】
食器蓋の形状は、嘴部を含む同食器の上縁部と同様にし、蓋の開き口は、その嘴部の位置へ付ける。
【考案の詳細な説明】
【技術分野】本考案は、合成樹脂からなる麺類や丼物の食器器に、簡単な咥え口を成型加工することで、飛躍的に食べやすくする提案である。
【背景技術】（１）現在、インスタント食品の丼用食器は、上端周縁に口を着けて傾けたとき、不快にしてこぼれるばかり。望む量をうまく口中へほうばれない。
（２）急いで掻きこんだり、大きく傾けると、ますますその状況は酷くなる。
（３）ましてや空腹時、苛苛している消費者は少なくない筈。
【考案の開示】
【考案が解決しようとする課題】（１）食べ物が、咥えた口へ集合集中しない原因は、円半径がはるかに大きい食器の縁に小さな消費者の口を、直接つけて食べるから。
（２）咥えた口と、食器周縁部の高さが同じになるため、食器に載った食べ物が、口の両端に溢れる。
（３）ために望む通りに食べられず苛苛。口の両端部からボロボロこぼれる。
【課題を解決するための手段】（１）合成樹脂からなる、麺類容器や丼容器の製作時、その口接部へ、人の下唇近い、下縁Ｕ字形嘴を、一体成型加工する。
（２）食器の蓋の形も、嘴部を含む同食器の、上縁の形状と同様とする。
【考案の効果】（１）丼の周縁と、消費者の下唇が自然に添うため食べやすい。口の両端からこぼれない。
（２）口をつけるＵ字形嘴下縁が、内容物流出の水平レベルと共に、丼周縁より低くなるため、内容物が口へ集合集中する。こぼれない。
（３）結果、車内・車外・屋台・立ち食い・観光地・コンビニメニュー・スーパーマーケット等々、どこで食べても買っても心配無用。麺類、丼物はこぼれ難い、食べやすい。服は汚れない、車内も綺麗。
（４）低コスト。
【考案を実施するための最良の形態】合成樹脂にて一体成型、加工する。
【産業上の利用可能性】外食産業・インスタント食品の容器に革命。
【選択図】
【図１】
【図２】
【図３】
【図４】
。
【図１】
0003115705.tif 000003
【図２】
0003115705.tif 000004
【図３】
0003115705.tif 000005
【図４】
0003115705.tif 000006
【手続補正書】
【提出日】平成17年7月21日(2005.7.21)
【手続補正１】
【補正対象書類名】実用新案登録請求の範囲
【補正対象項目名】全文
【補正方法】変更
【補正の内容】
【実用新案登録請求の範囲】
【請求項１】
人の下唇曲線に近い、嘴形の咥え口を、口接部へ一体成型加工した、インスタント食品用の丼。
【手続補正２】
【補正対象書類名】明細書
【補正対象項目名】全文
【補正方法】変更
【補正の内容】
【考案の詳細な説明】
【技術分野】
【０００１】本考案は、合成樹脂からなる麺類や丼物の食器に、簡単な咥え口を一体成型加工することで、飛躍的な食べやすさを提供する提案である。
【背景技術】
【０００２】（１）現在、インスタント食品の丼用食器は、上端周縁に口を着けて傾けたとき、不快にしてこぼれるばかり。望む量をうまく口中へほうばれない。
（２）急いで掻きこんだり、大きく傾けると、ますますその状況は酷くなる。
（３）ましてや空腹時、苛苛している消費者は少なくない筈。
【考案の開示】
【考案が解決しようとする課題】
【０００３】（１）食べ物が、咥えた口へ集合集中しない原因は、食器の広い上周縁部へ、そのまま口をつけて食べるから。
（２）咥えた口と、食器周縁部の高さが同じになるため、食器に載った食べ物が、口の両端に溢れる。
（３）ために望む通りに食べられず苛苛。口の両端部からボロボロこぼれる。
【課題を解決するための手段】
【０００４】（１）合成樹脂からなる、麺類容器や丼容器の製作時、その口接部へ、人の下唇曲線に近い、下縁Ｕ字形嘴を、一体成型加工する。
（２）食器の蓋の形も、嘴部を含む同食器の、上縁の形状と同様とする。
【考案の効果】
【０００５】（１）丼の上周縁と、消費者の下唇が自然に添うため食べやすい。口の両外端に食べ物が溢れない。
（２）口をつけるＵ字形嘴下縁が、内容物流出の水平レベルと共に、丼周縁部より低くなるため、  内容物が口へ集合集中する。こぼれない。
（３）結果、車内・車外・屋台・立ち食い・観光地・コンビニメニュー・スーパーマーケット等々、どこで食べても買っても心配無用。麺類、丼物はこぼれ難い。食べやすい。服は汚れない、車内も綺麗。
（４）低コスト。
【考案を実施するための最良の手段】
【０００６】合成樹脂での丼製造過程おいて、当該嘴部を、一体成型加工する。
【産業上の利用可能性】
【０００７】外食産業・インスタント食品容器の革命。
【図面の簡単な説明】
【図１】全体イメージ図。
【図２】前視・略図。
【図３】横視・略図。
【図４】上視・略図。
【符号の説明】
▲１▼丼本体、周縁部。
▲２▼丼本体、胴部。
▲３▼丼本体、底部。
▲４▼丼本体、嘴部。
【手続補正３】
【補正対象書類名】図面
【補正対象項目名】全図
【補正方法】変更
【補正の内容】
【図１】
0003115705.tif 000007
【図２】
0003115705.tif 000008
【図３】
0003115705.tif 000009
【図４】
0003115705.tif 000010
(57)【要約】【課題】  暴漢等が刃物を持って進入した際に、単身応戦した場合、撃退したり捕獲する事は非常に危険を伴い技術的に難しい事である。その際、暴漢等を単に力で取り押さえるのではなく、安全且つ確実に取り押さえる事が出来、前述の欠点を解決する道具を考案するものである。【解決手段】  さすまた本体にスタンガンを取り付けたことにより、さすまたの先端に電極を設け、暴漢等を取り押さえるとともに高電圧のかかった電流を流し失神させることにより問題点を解決している。【選択図】    図１
0003115703.tif 000002
【実用新案登録請求の範囲】
【請求項１】
古くから使用されてきたさすまたにスタンガンの機能を取り付け、さすまたの力のみで暴漢等の行動を低下させ取り押さえる方法に加え、スタンガンを装着させる事で、相手側に強い電流を流し相手を失神させる。単身や力の弱い女性等でも完全に相手側の抵抗する力を押さえ安全かつ確実に捕獲することが出来る。
【考案の詳細な説明】
【技術分野】
【０００１】  本項案は、従来のさすまたにスタンガンの機能を設けたさすまたに関するものである。
【背景技術】
【０００２】  学校・病院等において暴漢等が刃物などを持って進入した場合、素手や近くにあるモップ、さすまた等を使用し応戦していた。
【考案の開示】
【考案が解決しようとする課題】
【０００３】  暴漢が刃物を持って進入した際に、さすまたで単身応戦した場合ただ単に押え込みに限られ、撃退したり捕獲する事は非常に危険を伴い技術的に難しい事である。従って、さすまたにスタンガンの機能を設ける事で、暴漢等を単に力で取り押さえるのではなく、失神させ、安全且つ確実に取り押さえる事が出来、前述の欠点を解決しようとするものである。
【課題を解決する為の手段】
【０００４】  本項案は、さすまた本体にスタンガンを取り付けたことにより、さすまたの先端に電極をもうけ、暴漢等を取り押さえるとともに高電圧のかかった電流を流し失神させることにより問題点を解決している。
【考案の効果】
【０００５】  上記のように、本考案のスタンガン機能付きさすまたは従来のさすまたのように暴漢を取り押さえることはもちろん、スタンガン機能を取り付けた事により単身での捕獲や力の弱い者や取り押さえるための技術の無い者でも暴漢等を安全且つ確実に捕獲する事が出来る。
【考案の実施するための最良の形態】
【０００６】  さすまた本体の先端のＵ形部分で暴漢等を押え込み相手の自由を奪い、刃物等を所持し抵抗が激しい時に握り部分に設けたスイッチを押す事によりＵ形部分に取り付けた電極部分から、高電圧の電流が流れ暴漢を失神させ捕獲する事ができる。また、本体手元にゴム製のグリップを設け握りやすくし、中ほどに取り付けた横棒により従来のさすまたより扱いやすくなり、相手側がさすまた本体を返し難くした。
【実施例】
【０００７】  以下、添付図面に従って一実施例を説明する。１はアルミニュウム金属等適宣素材で形成されたさすまた本体。４は電極で、Ｕ字型部分のスタンガン本体より出された高圧な電流を、この場所から放出し暴漢等を押え込み失神させ捕獲する。５はスタンガンスイッチ。６はスタンガン部。【０００８】  ２の横棒は、暴漢がＵ字部分をつかみひねりを入れ様とした時に押え込む時に有効である。【０００９】  ３はゴム製グリップでさすまた本体をつかみやすく扱いやすくする。
【図面の簡単な説明】
【００１０】
【図１】本考案のスタンガン機能付きさすまたの一実施例を示す正面図である。
【符号の説明】
【００１１】  １  さすまた本体
２  横棒
３  ゴム製グリップ
４  電極
５  スイッチ
６  スタンガン
【図１】
0003115703.tif 000003
【手続補正書】
【提出日】平成17年7月5日(2005.7.5)
【手続補正１】
【補正対象書類名】実用新案登録請求の範囲
【補正対象項目名】全文
【補正方法】変更
【補正の内容】
【実用新案登録請求の範囲】
【請求項１】
さすまた本体１の一部分に取付けた横棒２にスイッチ５を備えたスタンガン６を取り付け、さすまた本体１のＵ字型部分に設けた電極４と前記スイッチ５を結び、前記スイッチ５を押す事によりスタンガン６より発生された高電圧電流が電極４より放電されることを特徴とするスタンガン機能付きさすまた。
(57)【要約】      （修正有）【課題】外径の異なるプラグの使用に際し接続部から埃塵の侵入を防ぐカバー。【解決手段】プラグ４の外径の変化に追従するたわみ部分２をカバー１に設けてプラグとカバーを密着させることにより課題を解決する。【選択図】図３
0003115701.tif 000002
【実用新案登録請求の範囲】
【請求項１】
プラグ差込口を覆うカバー材に、たわみにより口径差を吸収しプラグのモールド部に密着する穴を配置した事を特徴とするプラグ差込口防塵カバー。
【請求項２】
請求項１に於いて、カバー材に異なる口径で段差を設けた穴を配置した事を特徴とするプラグ差込口防塵カバー。
【請求項３】
請求項１を配置した事を特徴とする携帯型音楽再生装置のカバー。
【考案の詳細な説明】
【考案の詳細な説明】
【技術分野】
【０００１】    本考案は、携帯型情報端末及び携帯型音楽録再生装置などイヤホンプラグ又入出力プラグなどを接続して使用する機器のプラグカバーに関する物である。
【背景技術】
【０００２】    従来の技術思想では、携帯型情報端末及び携帯型音楽録再生装置などのカバーはイヤホンプラグ又入出力プラグなどの接続部分は外径の異なるプラグが接続できるように大きな開口部が設けられており埃塵の侵入に対しては考えられていなかった。
【考案が解決しようとする課題】
【０００３】    本考案は外径の異なるプラグを接続した際、接続部から埃塵の侵入を防ぐことができる開口部を設けたカバーを製作することを目的とする。
【課題を解決するための手段】
【０００４】    本考案では小径モールド部を有するプラグと大径モールド部を有するプラグをそれぞれ使用した際に、カバー部から埃塵が入らないように径の変化に追従するたわみ部分を設けてプラグとカバーを密着させることにより課題を解決する。
【実施例】
【０００５】    以下添付図面に基づいて本考案を説明する。
図１は本考案のプラグ差込口防塵カバーの断面である。カバー１には本体プラグ差込口付近に、プラグ穴たわみ部２とたわみ収納部３が形成されている。
図２はカバー１を装着した携帯型音楽録再生装置６に小径のイヤホンプラグ４を差し込んだ状態の断面である。図３はカバー１を装着した携帯型音楽録再生装置６に大径のイヤホンプラグ４ａを差し込んだ状態の断面である。図４はなだらかな段差でプラグ穴たわみ部２がたわむ実施例である。【０００６】図３の状態でプラグ穴たわみ部２はたわみ収納部３にたわみながら大径のイヤホンプラグ４ａと密着する。
【考案の効果】
【０００７】    このように本考案のプラグ差込口防塵カバーは、プラグより小径の開口部に大径のプラグを差し込むことが可能になり、径の異なるプラグに対しカバーのたわみにを利用して密着させる事により接続部での埃塵の侵入を防止することが出来る。カバー全体を軟質ゴム等で製作すれば低コストで機器の保護が可能になる。またプラグ差込口周囲を軟質ゴム等で製作し、カバー本体は樹脂、金属等で製作することにより本体に耐圧強度を持たせ、且つプラグ部からの埃塵を防ぐ事が出来る。本考案の実施により携帯型音楽再生装置などを埃塵から守り、その耐久性を大きく改善することが出来る。
【図面の簡単な説明】
【図１】    防塵カバーの断面である。
【図２】    小径プラグを装着した状態の防塵カバーの断面である。
【図３】    大径プラグを装着した状態の防塵カバーの断面である。
【図４】    なだらかな段差でたわむ防塵カバーの断面である。
【符号の説明】
１カバー、２プラグ穴たわみ部、３たわみ収納部、４プラグ、６携帯型音楽再生装置
【図１】
0003115701.tif 000003
【図２】
0003115701.tif 000004
【図３】
0003115701.tif 000005
【図４】
0003115701.tif 000006
【手続補正書】
【提出日】平成17年7月5日(2005.7.5)
【手続補正１】
【補正対象書類名】実用新案登録請求の範囲
【補正対象項目名】全文
【補正方法】変更
【補正の内容】
【実用新案登録請求の範囲】
【請求項１】
プラグ差込口を覆うカバー材に、プラグのモールド部に密着させるたわみ部とたわみ収納部からなる穴を配置した事を特徴とするプラグ差込口防塵カバー。
【請求項２】
請求項１に於いて、たわみ部とたわみ収納部が異なる口径で段差をもつ穴からなるプラグ差込口防塵カバー。
【請求項３】
イヤホンプラグ差込口に請求項１および請求項２のプラグ差込口防塵カバーを設けた事を特徴とする携帯型音楽再生装置のカバー。
(57)【要約】      （修正有）【解決手段】紙バッグの取っ手紐取付位置より斜め上部数センチの所にそれぞれ２つの穴をあけ、その２つの穴を結ぶように直線上にバッグを切抜きます。そこに２本の取っ手紐を左右クロスするように通してその紐を引っ張ると小さな狭い穴で紐どうしが絡み合い固定され、閉じると同時に開きにくくする。【効果】バッグの口を完全に閉じることができ、安心・安全な便利性に富んだ商品になる。【選択図】図３
0003115704.tif 000002
【実用新案登録請求の範囲】
【請求項１】
紙バッグの取っ手紐取付位置より斜め上部数センチの所にそれぞれ２つの穴をあけ、その２つの穴を結ぶように直線上にバッグを切抜きます。そこに２本の取っ手紐を左右クロスするように通してその紐を引っ張ると小さな狭い穴で紐どうしが絡み合い固定され、閉じると同時に開きにくくする考案です。
【考案の詳細な説明】
【考案の詳細な説明】
この考案が利用される分野は紙バッグ全般で取っ手がヒモ状及び縄状のものに有効です。
［考案の属する技術分野］
この考案は何一つ備品を使わず、現状形態を維持しつつ改良のみで付加価値を生む考案。
［従来の技術］
従来品には取っ手が合成樹脂製のもので、デコボコの止め具が付いたものが一部ある。
［考案が解決しようとする課題］
イ．中の物がまる見え状態
ロ．中の物が紛失したり盗難されたりする
ハ．バッグを手から離して置く場合、上部（口）が広がりすぐに倒れる
ニ．ガムテープ等を使用して閉じている場合、何回も開閉できない
［課題を解決するための手段］
紙バッグの取っ手紐取付位置より斜め上部数センチの所にそれぞれ２つの穴をあけ、その２つの穴を結ぶように直線上にバッグを切抜きます。そこに２本の取っ手紐を左右クロスするように通してその紐を引っ張ると小さな狭い穴で紐どうしが絡み合い固定され、閉じると同時に開きにくくする考案です。
［考案の実施の形態］
紙バッグは大小問わず、取っ手がヒモ状・縄状のものならすべてに活用できます。使い方も簡単で非常に便利です。
以下本考案の実施の形態を説明します。
イ．取っ手取付部分の穴を基準にして上部内側寄りにそれぞれ２つの穴をあける。
ロ．その穴の大きさは紐の大きさに合わせて決定するが、取付穴のサイズに近い
ハ．開けた穴２つを直線でつなぐように、まっすぐ切り抜く。
ニ．この切り抜いた所に取っ手紐をそれぞれ交差させるように通して引っ張る。そして取っ手紐を両サイドの穴の部分でクロスさせる。
［考案の効果］
本考案を活用することによってバッグの口を完全に閉じることができ、安心・安全な便利性に富んだ商品になる。
【図面の簡単な説明】改良考案で対象商品の種類やサイズが一定でないために形態であらわします。
［図１］  本考案の基本的な図面です
［図２］  本考案の基本を参考に一部変更した例です
［図３］  本考案の使用状態を示す図面です
【符号の説明】
▲１▼穴      ▲２▼切り抜き部分      ▲３▼従来の取っ手紐
【図１】
0003115704.tif 000003
【図２】
0003115704.tif 000004
【図３】
0003115704.tif 000005
【手続補正書】
【提出日】平成17年7月15日(2005.7.15)
【手続補正１】
【補正対象書類名】実用新案登録請求の範囲
【補正対象項目名】全文
【補正方法】変更
【補正の内容】
［書類名］          実用新案登録請求の範囲
［請求項１］
紙バッグの取っ手紐取付穴２つの他にバッグの上端との間に後２つの穴を開け、この２つの穴を結ぶように切抜いた紙バッグである。
【手続補正２】
【補正対象書類名】明細書
【補正対象項目名】考案の名称
【補正方法】変更
【補正の内容】
［考案の名称］        手提げ紙バッグ
(57)【要約】      （修正有）【課題】クリアファイルをヒート圧着で袋状にし、くり貫いた部分で持ち歩けるようする。宣伝道具として利便性をあげ、また切り込み線を入れ、切り離しができるようにすることにより、文具としても使用できるものする。【解決手段】袋状にしたクリアファイル１に、くり貫き部分２を作ることにより、持ち歩きできるようにした。また切り込み線３を入れることにより切り離しができ、文房具として使用することもできる。【選択図】図１
0003115710.tif 000002
【実用新案登録請求の範囲】
【請求項１】
ポリプロピレン材料を使用したシルクスクリーン印刷もしくは箔押しのインキのものにヒート圧着で綴じ袋状にしたものを長方形や楕円形で抜型をして持ち歩ける袋となりまたミシン目や切り込みをいれることにより切り離してクリアファイルとして使用できる。
【考案の詳細な説明】
【技術分野】
【０００１】本考案は、ポリプロピレン材料のものに、ヒート圧着で綴じ袋状にしたものを上部に長方形や楕円形の抜型でくり貫き、袋として持ち歩けるようにし、また下部にミシン目や切り込みを入れることにより、クリアファイルとして切り離しできるようできる袋に関するものである。
【背景技術】
【０００２】宣伝、販促道具として配布した場合、受け取り手が受け取りにくく、中のチラシ類も飛び出し、宣伝効果がなかなか上がらない。
【考案の開示】
【考案が解決しようとする課題】
【０００３】宣伝、販促道具としても目立ち、手に取りやすく、中のチラシ類が飛び出て、係員が清掃する手間を省く。また切り取るだけでクリアファイルになることにより、得感、利便性を上げる。
【課題を解決するための手段】
【０００４】本考案は、ポリプロピレン材料を使用したシルクスクリーン印刷もしくは箔押しのインキのものに、ヒート圧着で綴じ袋状にしたものを上部にくり貫きをして持ち歩ける袋となり、受け取りにくいまたは中のものが飛び出すという問題点を解決している。また抜型や印刷によるミシン目や切り込みをいれることにより切り離してクリアファイルとして使用できることにより、利便性を上げ問題点を解決した。
【考案の効果】
【０００５】上述のように、袋としてもクリアファイルとしても使えることにより利便性を上げ、受け取る側にも伝わりやすいため、受け取りをしてもらいやすくなり、持ち歩く人が多いことにより、宣伝効果をあげることができる。
【考案を実施するための最良の形態】
【０００６】大量に印刷し、数人で配り、大量に配り受け取ってもらうことにより、街中にそれらを持ち歩く人がいるため、宣伝効果が上がる。
【実施例】
【０００７】宣伝したいデザインのものを大量に印刷し、それを効果のある日時に数人で配り、大量に配り受け取ってもらうことにより、それらを持ち歩く人が街中に知らしめ、人目を引き、宣伝効果が上がる。また切り込みから切り離し、書類サイズのクリアファイルとして利用。会社や自宅で文具として使用できる。
【図面の簡単な説明】
【００１０】
【図１】本考案のクリアファイル手提げ袋の実施例を示す正面図である。
【符号の説明】
【００１１】１  クリアファイル手提げ袋本体
２  くり貫き部分
３  クリアファイル切り込み線
４  絵柄
【図１】
0003115710.tif 000003
【手続補正書】
【提出日】平成17年7月20日(2005.7.20)
【手続補正１】
【補正対象書類名】実用新案登録請求の範囲
【補正対象項目名】全文
【補正方法】変更
【補正の内容】
【実用新案登録請求の範囲】
【請求項１】
綴じ袋状にしたものに、ミシン目や切り込み部分を有する手提げ袋であって、当該、ミシン目もしくは切り込みで切り離すことによって、当該、切り離された部分は、クリアファイルとして使用可能であることを特長とするクリアファイル手提げ袋。
【請求項２】
前記の材料がポリプロピレン材料で、ヒート圧着にて綴じ袋状にした請求項１に記載のクリアファイル手提げ袋。
【請求項３】
前記の材料がシルクスクリーン印刷もしくは箔押しのインキを用いて絵や文字や写真などの印刷を施した請求項１に記載のクリアファイル手提げ袋。
【請求項４】
前記クリアファイル手提げ袋にミシン目もしくは切り込み線を印刷で入れておき、手提げ袋として利用した後、ミシン目や切り込みに沿って切り取ることによってクリアファイルとして使用できる請求項１に記載のクリアファイル手提げ袋。
【請求項５】
前記クリアファイル手提げ袋に上部に抜型でくり貫くことによって取っ手部分を有し、クリアファイルとして使用できる請求項１に記載のクリアファイル手提げ袋。
(57)【要約】      （修正有）【課題】手の不自由な方、高齢者の方が安心・安全尚且つ自立リハビリをできるトイレットペーパーホルダーを提供する。【解決手段】固定金具と板スプリングペーパー支持金具の接合部に回転デルリン座金・板スプリングを使用することによってホルダー３６０回転が可能になる。トイレットペーパーセットもペーパーセットピンを板スプリングペーパー支持金具（板スプリングバネ）にセットすることによって、スプリング（伸び・縮む）が簡単でトイレットペーパーのセットが容易にできる。【選択図】図１
0003115725.tif 000002
【実用新案登録請求の範囲】
【請求項１】
回転ワンタッチペーパーホルダーは、トイレ内  左・右・正面の壁面に設置できる。ペーパーホルダーは片手で３６０°回転することができ、又、片手で３６０°どの位置に」おいても板スプリングペーパー切金具で簡単に使用できるため手の不自由な方高齢の方も安心して使用できることを特徴とする。
【考案の詳細な説明】
【技術分野】
【０００１】本考案はペーパーホルダー（ステンレス製）３６０°回転することによって用意に手の不自由な方、高齢者の方が使用できる機具に関するものである。
【背景技術】
【０００２】トイレ内において、ペーパー使用の際に手の障害のある方も一般の方も簡単に使用できるユニバーサルデザインです。
【考案の開示】
【考案が解決しようとす課題】
【０００３】回転ワンタッチホルダーをトイレ内に設置することによって手の障害のある方も一般の方も左利き・右利きの方もペーパーホルダーが３６０°回転するため、自分の使用しやすい位置（角度）でペーパーカットができるため介護者なしで安心して使用できることはリハビリにもなることです。
自分でできることは自分での介護の精心を解決するためのものである。
【課題を解決するための手段】
【０００４】本考案は固定金具と板スプリングペーパー支持金具の接合部に回転デルリン座金・板スプリングを使用することによってホルダー３６０回転が可能になる。トイレットペーパーセットもペーパーセットピンを板スプリングペーパー支持金具（板スプリングベネ）にセットすることによって、スプリング（伸び・縮む）が簡単でトイレットペーパーのセットが容易にできるため自分でできることの問題点を解決している。
【考案の効果】
【０００５】上迷のように本考案の回転ワンタッチホルダーを使用することによって右利き・左利き・手の不自由な方・高齢者の方も安心して自分自身でトイレに行き、自分自身の手でペーパーカットができることで自立、リハビリの面にも役立つ。
【考案を実施するための最良の形態】
【０００６】回転ワンタッチホルダーの固定金具・接合面の回転デルリン座金、板スプリングにおいての接合面の摩擦における回転不備を解消する。
回転ボルトの固定金具部のボルトネジ、ボルトの押さえるナットによるＷネジの効果でネジの緩み、締め付けを解消し、常にいかし、片手で使用することができる。
３は固定金具（ステンレス）を取り付け、壁面（左・右・正面）に３本のビスで固定する金具です。１・２・３の金具の一体が回転ワンタッチペーパーホルダーである。
【実施例】
【０００７】以下添付図面に従って一実施例を説明する。
図１は回転ワンタッチホルダーを示した上面図である。
図２は回転ワンタッチペーパーホルダー側面図である。
１はいたスプリングペーパー支持金具（ステンレス３０３バネ材）にて、６のペーパーセットピンを取付けバネ材の特徴を生かしトイレットペーパーの取付けを容易にできるものである。
２は板スプリングペーパー切金具（ステンレス３０３バネ材）でトイレットペーパーをカットする部分でバネ材の特性を生かし、片手で使用することができる。
３は固定金具（ステンレス）を取付け、壁面（左・右・正面）に３本のビスで固定する金具です。
１・２・３の金具の一体が回転ワンタッチペーパーホルダーである。【０００８】４は回転デルリン座金（デルリン材）で３の固定金具との回転摩擦を防ぐための座金である。
５は板スプリング（ステンレス３０３バネ材）で１の板スプリング支持金具の回転の強弱を調整するスプリングである。
６、６ａはペーパーセットピンでトイレットペーパーを取付けする支持部分であり１の側面よりビス止めするものである。【０００９】本考案の一実施例は、上迷の如き構成からなるものであるから回転ワンタッチペーパーホルダーを使用することによって手の不自由な方、高齢者の方が自信を持って使用できる。
すなわちユニバーサルデザインとして構成ざれている。
【図面の簡単な説明】
【００１０】
【図１】本考案の回転ワンタッチペーパーホルダーの一実施を示す正面図である。
【図２】本ワンタッチペーパーホルダーの側面図である。
【符号の説明】
【００１１】１  板スプリングペーパー支持金具（ステンレス３０３バネ材）
２  板スプリングペーパー切金具（ステンレス３０３バネ材）
３  固定金具（ステンレス材）
４  回転デルリン座金（デルリン材）
５  板セットスプリング（ステンレス３０３バネ材）
６  ペーパーセットピン（プラスッチク＋セットネジ）
７  回転ボルト（ステンレス材）
【図１】
0003115725.tif 000003
【図２】
0003115725.tif 000004
【手続補正書】
【提出日】平成17年7月26日(2005.7.26)
【手続補正１】
【補正対象書類名】実用新案登録請求の範囲
【補正対象項目名】全文
【補正方法】変更
【補正の内容】
【実用新案登録請求の範囲】
【請求項１】
「トイレットペーパー使用において回転ワンタッチペーパーホルダーをトイレ内に設置することで
（１）  板スプリングペーパー支持金具のバネの強弱によりペーパーセットピンに簡単にトイレットペーパー取付け取りはずしができる。
（２）  回転デルリン座金・回転ボルト・固定金具の組み合わせによりセットされたトイレットペーパーが板スプリングペーパー支持金具と共に３６０度回転することによって右・左・前・壁の設置ができる。
（３）  板スプリングペーパー切金具のバネの強弱によりトイレットペーパーがホルダー３６０度回転のため、どの角度でも片手で簡単に切れる。
以上の構成から成る回転ワンタッチペーパーホルダー。」
(57)【要約】      （修正有）【課題】木造軸組・ヘーベルパワーボード・フォーム１００を一体化させ、優れた高気密・高断熱・高耐久性を実現させる。【解決手段】屋根は垂木にハイノジ５０を、外壁は木軸にパワーボードを共に直張りし、フォーム１００を吹付け充填させる。床下に関しては、基礎面にフォーム１００を吹付け充填し、外部と内部の通気を遮断する。【選択図】図１
0003115726.tif 000002
【実用新案登録請求の範囲】
【請求項１】
木造軸組にヘーベルパワーボードを直張りし、フォーム１００を吹付ける。  木造軸組・ヘーベルパワーボード・フォーム１００を一体化させ、優れた高気密・高断熱・高耐久性・高遮音性を実現させる。
【考案の詳細な説明】
【技術分野】
【０００１】  本考案は、木造軸組に使用する外部に関する。
【背景技術】
【０００２】  従来の外部はヘーベルパワーボードを張り断熱材を木軸に充填していたので、一体化されていなかった。
【考案の開示】
【考案が解決しようとする課題】
【０００３】  しかし、これでは断熱材の経年劣化・断熱材の脱落により住宅の基本的性能に変化をしようとしていた。
【課題を解決するための手段】
【０００４】  そこで、木造軸組にヘーベルパワーボードを直張りしフォーム１００を吹付けることにより、木造軸組・ヘーベルパワーボード・断熱材の一体化が計られる。
【考案の効果】
【０００５】  よって、外部の一体化により長い年月の優れた気密性・断熱性・耐久性・遮音性能を向上することができる。
【考案を実施するための最良の形態】
【０００６】  本考案は建物の一体化を計るため、図１に示すように屋根は垂木にハイノジ５０を、外壁は木軸にパワーボードを共に直張りし、フォーム１００を吹付け充填させる。
床下に関しては図２のように、基礎面にフォーム１００を吹付け充填させる。以上のようにして、外部と内部の通気を遮断する。
【図面の簡単な説明】
【０００７】
【図１】小屋裏〜外壁の収まり図
【図２】外壁〜床下（基礎内）の収まり図
【図１】
0003115726.tif 000003
【図２】
0003115726.tif 000004
【手続補正書】
【提出日】平成17年7月27日(2005.7.27)
【手続補正１】
【補正対象書類名】実用新案登録請求の範囲
【補正対象項目名】全文
【補正方法】変更
【補正の内容】
【実用新案登録請求の範囲】
【請求項１】
ヘーベルパワーボード（登録商標）が張られ、フォーム１００が吹き付けられて「一体化される木造軸組」
【手続補正２】
【補正対象書類名】明細書
【補正対象項目名】０００２
【補正方法】変更
【補正の内容】
【０００２】  従来の外部はヘーベルパワーボード（登録商標）を張り断熱材を木軸に充填していたので、一体化されていなかった。
【手続補正３】
【補正対象書類名】明細書
【補正対象項目名】０００４
【補正方法】変更
【補正の内容】
【０００４】  そこで、木軸組にヘーベルパワーボード（登録商標）を張りフォーム１００を吹き付けることにより、木造軸組・ヘーベルパワーボード（登録商標）・断熱材の一体化が計られる。
【手続補正４】
【補正対象書類名】明細書
【補正対象項目名】０００６
【補正方法】変更
【補正の内容】
【０００６】  本考案は建物の一体化を計るため、図１に示すように屋根は垂木にハイノジ５０を、外壁は木軸にヘーベルパワーボード（登録商標）をともに張り、フォーム１００を吹きつけ充填させる。  床下に関しては図２のように、基礎面にフォーム１００を吹き付け充填させる。以上のようにして、外部と内部の通気を遮断する